(57)【要約】【課題】本発明は、机と書棚を組み合わせて使用する組み合わせデスクに係り、詳しくは、使い勝手に応じてデスクと書棚を様々な体系に組み合わせ方を可能とする組み合せデスク装置に関するものであり、簡単な構成で、かつ容易な作業で、使い勝手に応じてデスクと書棚を様々な体系に組み合わせ方が可能とする組合せデスク装置を提供することを課題とするものである。【解決手段】主に机と書棚からなり、机に着脱自在は拡張天板を備えた組み合わせデスクにおいて、書棚に大収納部と小収納部を設定し、小収納部の鉛直面に開口部を設け、該開口部が書棚の正面を向く第１の体系と、開口部が書棚の外側面を向く第２の体系で選択可能とするとともに机から取り外された拡張天板を書棚の背面に収容可能とする。【選択図】図１３
2018000588.tif 000002
【特許請求の範囲】
【請求項１】
少なくとも一対の脚体の上部に天板を設けて構成される机と、机の天板の後端に連接され机の執務スペースを拡張する着脱自在の拡張天板と、机の間口寸法と略等しい間口寸法に設定された書棚とで構成された組み合わせデスクにおいて、書棚は、書棚の少なくとも左右いずれかの側面に面した小収納部を有し、小収納部は、鉛直面に少なくとも一面の開口部を備え、該開口部が書棚の正面を向く第１の体系と、開口部が書棚の外側面を向く第２の体系で選択可能とするとともに机から取り外された拡張天板を書棚の背面に収容可能としたことを特徴とする組み合わせデスク。
【請求項２】
書棚は、書棚天板を有し、拡張天板は、机の天板の巾と略同じ巾とされた横長長方形の板状のものであって、拡張天板が机の天板の後端に連接され執務スペースを拡張した状態での拡張天板の前後方向面が、上下方向に向くように、かつ、拡張天板の長手方向が書棚の左右方向に向くように書棚の背面に収容されるものであって、小収納部の開口部側の巾寸法を、開口部が書棚の外側面を向く第２の体系時で、かつ、拡張天板を書棚の背面に収容した状態で、小収納部が書棚天板の前端より前に突出しないように設定したことを特徴とする請求項１に記載の組み合わせデスク。
【請求項３】
書棚は、小収納部に隣接する大収納部を備え、大収納部の奥行き寸法が、小収納部の奥行き寸法より大きく設定されるとともに、大収納部の背面が小収納部の背面より突出するように形成され、該突出部分を使用して、拡張天板が収容可能とされていることを特徴とする請求項１、あるいは、請求項２に記載の組み合わせデスク。
【発明の詳細な説明】
【技術分野】
【０００１】
本発明は、机と書棚を組み合わせて使用する組み合わせデスクに係り、詳しくは、使い勝手に応じてデスクと書棚を様々な体系に組み合わせ方を可能とする組み合せデスク装置に関するものである。
【背景技術】
【０００２】
従来、家庭等の勉強部屋や書斎等の執務空間で使用される机において、学習効率の向上や、使い勝手の向上を目的として、学習に使用する書籍、参考書、教科書等を整理収納しておく書棚が、机に近接して置かれる場合がある。
そのため、机と書棚を独立させ、机の後方に書棚を配置する体系や、机の側方に書棚を配置し、L字状に配置した体系に机と書棚を組み合わせる組み合わせデスクが従前よりある。
また、このような組み合わせデスクの中には、机の天板の後端に着脱自在とされる拡張天板を設置して、机の天板面積を拡張させるものもある。
【０００３】
しかしながら、このような組み合わせデスクにおいて、書棚をデスクの側面に書棚の長手方向がデスクと直行するようにL字状に配置した体系では、書棚の取り出し開口がデスクの使用時に配置されるイスの方向を向いているので、イスが邪魔になり書棚が使用しにくいことがある（例えば特許文献１）。
また、書棚の出し入れ口方向が一定のため、室内での組み合わせデスクの配置方法が限定されることがある。
【先行技術文献】
【特許文献】
【０００４】
【特許文献１】特許第５５３１４５６号公報
【発明の概要】
【発明が解決しようとする課題】
【０００５】
本願発明は、このような問題に鑑み、簡単な構成で、かつ容易な作業で、使い勝手に応じてデスクと書棚を様々な体系に組み合わせ方が可能とする組合せデスク装置を提供することを課題とするものである。
【課題を解決するための手段】
【０００６】
そこで、上記課題を解決する為、本発明が第１の手段として構成したところは、少なくとも一対の脚体の上部に天板を設けて構成される机と、机の天板の後端に連接され机の執務スペースを拡張する着脱自在の拡張天板と、机の間口寸法と略等しい間口寸法に設定された書棚とで構成された組み合わせデスクにおいて、書棚は、書棚の少なくとも左右いずれかの側面に面した小収納部を有し、小収納部は、鉛直面に少なくとも一面の開口部を備え、該開口部が書棚の正面を向く第１の体系と、開口部が書棚の外側面を向く第２の体系で選択可能とするとともに机から取り外された拡張天板を書棚の背面に収容可能としたものである。
【０００７】
次に上記課題を解決する為、本発明が第２の手段として構成したところは、第１の手段とした構成に加え、書棚は、書棚天板を有し、拡張天板は、机の天板の巾と略同じ巾とされた横長長方形の板状のものであって、拡張天板が机の天板の後端に連接され執務スペースを拡張した状態での拡張天板の前後方向面が、上下方向に向くように、かつ、拡張天板の長手方向が書棚の左右方向に向くように書棚の背面に収容されるものであって、小収納部の開口部側の巾寸法を、開口部が書棚の外側面を向く第２の体系時で、かつ、拡張天板を書棚の背面に収容した状態で、小収納部が書棚天板の前端より前に突出しないように設定したものである。
【０００８】
次に上記課題を解決する為、本発明が第３の手段として構成したところは、第１の手段、あるいは、第２の手段とした構成に加え、書棚は、小収納部に隣接する大収納部を備え、大収納部の奥行き寸法が、小収納部の奥行き寸法より大きく設定されるとともに、大収納部の背面が小収納部の背面より突出するように形成され、該突出部分を使用して、拡張天板が収容可能とされるものである。
【発明の効果】
【０００９】
第１の手段として構成したところによると、拡張天板を書棚に収容した状態で小収納部の開口部を、書棚の正面を向く第１の体系と、開口部が外側面を向く第２の体系で選択可能であるため、机と書棚の組合せパターンを多彩にすることができ、組み合わせデスクを設置する部屋のレイアウトに合わせて、使い勝手のよい机と書棚の組み合わせが可能である。
【００１０】
第２の手段として構成したところによると、第１の手段の効果に加え、開口部が書棚の外側面を向く第２の体系時に書棚天板の前端より小収納部が突出しないので、書棚を机の後端、あるいは、側端に、机により密接した状態で配置させることが可能である。
また、書棚の書棚天板の上面を、机の天板上面と面一とした場合、書棚を机により密接した状態で配置させることが可能であるため、机の天板の端面と書棚天板の前端面を接地させることが可能であり、そのため、机の天板と書棚天板とで連続した執務スペースを形成することが可能である。
【００１１】
第３の手段として構成したところによると、第１の手段、あるいは第２の手段の効果に加え、拡張天板を、大収納部の奥行きより後方に突出させずに大収納部の奥行き大きくすることが可能であるため、書棚の奥行きを必要以上に大きくさせることなく、収納部分の容量を大きくすることが可能であり収納部の使い勝手がよい。
また、小収納部には、拡張天板を収容するための特別な加工が必要ないため、製造過程におけるコストダウンが可能である。
【図面の簡単な説明】
【００１２】
【図１】机の右側面図。
【図２】机の正面図。
【図３】机の底面図。
【図４】組み合わせデスクの右側面図。
【図５】組み合わせデスクの左側面図。
【図６】組み合わせデスクの正面図。
【図７】書棚の正面図。
【図８】書棚の背面図。
【図９】図７のＡ−Ａ線断面図。
【図１０】図７のＢ−Ｂ線断面図。
【図１１】図７のＣ−Ｃ線断面図。
【図１２】連結部材の構成を示す断面図。
【図１３】小収納部の開口部が外側を向いた形態の水平断面図。
【図１４】拡張天板を使用した状態の組み合わせデスクの右側面図。
【図１５】組み合わせデスクの他の例を示す右側面図。
【図１６】第２実施例における書棚の正面図。
【図１７】第２実施例における小収納部の開口部が外側を向いた形態の書棚の正面図。
【図１８】図１６のＡ−Ａ線断面図。
【図１９】図１６のＢ−Ｂ線断面図。
【図２０】図１６のＣ−Ｃ線断面図。
【図２１】第２実施例における小収納部の開口部が外側を向いた形態の水平断面図。
【図２２】第３実施例における小収納部の開口部が正面を向いた形態の水平断面図。
【図２３】第３実施例における大収納部部の鉛直断面図。
【図２４】机の後方に書棚を配置した体系を示す平面図。
【図２５】机の右側方に書棚を配置した体系を示す平面図。
【発明を実施するための形態】
【００１３】
一対の脚体の上部に天板を設けて構成される机と、机の天板の後端に連接され机の執務スペースを拡張する着脱自在の拡張天板と、机の間口寸法と略等しい間口寸法に設定された書棚とで構成された組み合わせデスクにおいて、書棚に書棚天板と小収納部と小収納部に隣接する大収納部を設け、小収納部を書棚の少なくとも左右いずれかの側面に面するように配置し、小収納部の鉛直面に少なくとも一面の開口部設け、小収納部の開口部が書棚の正面を向く第１の体系と、開口部が書棚の外側面を向く第２の体系で選択可能とするとともに、小収納部の開口部側の巾寸法を、開口部が書棚の外側面を向く第２の体系時で、小収納部が書棚天板の前端より前に突出しないように設定し、大収納部の奥行き寸法を、小収納部の奥行き寸法より大きく設定し、大収納部の背面を小収納部の背面より突出するように形成し、該突出部分を使用して、机の天板の巾と略同じ巾とされた横長長方形の板状の拡張天板を、拡張天板が机の天板の後端に連接され執務スペースを拡張した状態での拡張天板の前後方向面が、上下方向に向くように、かつ、拡張天板の長手方向が書棚の左右方向に向くように収容する。
【実施例１】
【００１４】
第１実施例を、添付図面に基づいて詳述する。
図１、図２において、符号１は机を示し、机１は天板本体部１０と、天板本体部１０の左右端部側に連結ネジにて連結された左右脚体２、２より構成されている。
符号２０は左右脚体２、２を連結する脚体補強材を示し、図４、図５、図６において、符号３は、机１と連結可能な書棚を示している。
【００１５】
天板本体部１０は、図３に示すように、主に左右方向に長い長方形板状の天板１１と、天板１１の左右端部のやや内側下面で、前後方向（奥行き方向）ほぼ全幅にわたって配設された左右天板側板１２、１２と、左右天板側板１２、１２間のほぼ中央部で、前後方向にわたって配設され、左右天板側板１２、１２よりやや短い長さの天板中央支持桟１３と、左右天板側板１２、１２の内面と、天板中央支持桟１３の外面に取り付けられる引き出し支持用部材１４（レール部材等）を介して前後方向で出入自在とされる左右の引き出し１６、１６で構成されている。
【００１６】
左右脚体２、２は対向した対称形に形成されているので、一方側のみ説明する。
右側脚体２は、前後に離間して配置する棒状の前支持脚２１、後支持脚２２と、前支持脚２１、後支持脚２２の上部で、前支持脚２１と後支持脚２２を連結する上部補強材２２１、前支持脚２１と後支持脚２２の下部で、前支持脚２１と後支持脚２２を連結する下部補強材２１２で構成されている。
そして、左右脚体２、２は、前記左右天板側板１２、１２の側面にネジ止め固定される。
【００１７】
書棚３は、図７〜図１１に示すように、板状部材の組み合わせで構成されており、左右方向に並ぶ小収納部３００と大収納部３０１と、小収納部３００と大収納部３０１の上面に載置、連結される書棚天板３０で構成されている。
書棚３の背面上部には、後述する机の執務スペースを拡大するときに使用する拡張天板２００が収容されている。
【００１８】
小収納部３００は、左右対称の一対に立設する小側板３２ａ、３２ａと、小側板３２ａ、３２ａ間の下部に、床面から所定の高さ上がった位置に水平に架設される小底板３３ａと、小底板３３ａの前部下面から床面まで垂下する前板３４ａと、小側板３２ａ、３２ａ間の後部に架設される小背板３５ａと、小側板３２ａ、３２ａ間の中間高さ付近に高さ自在に設置される小棚板３７ａとで構成される。
【００１９】
大収納部３０１は、左右対称の一対に立設する大側板３２ｂ、３２ｂと、大側板３２ｂ、３２ｂ間の下部に、床面から所定の高さ上がった位置に水平に架設される大底板３３ｂと、大底板３３ｂの前部下面から床面まで垂下する前板３４ｂと、大側板３２ｂ、３２ｂ間の後部に架設される大背板３５ｂと、大側板３２ｂ、３２ｂ間の中間高さ付近に高さ自在に設置される大棚板３７ｂとで構成される。  
【００２０】
書棚天板３０は、机の天板１１と略同じ横幅で、奥行きは、机の天板１１の奥行き寸法の約半分程度に設定された横長長方形、すなわち、間口方向に長尺な板状に形成されている。
そして、該書棚天板３０の上面が、机の天板１１の上面と同じ高さとなるように書棚３０は構成されている。
【００２１】
小側板３２ａは、図１０に示すように、書棚天板３０の下面から床までの高さで、書棚天板３０の奥行き寸法より拡張天板２００の収容寸法分小さい奥行き寸法に設定され、板状に形成されている。
そして、幅広面の一側面の上部に後述する連結金具４０の締結部材４０１、４０１が前後に間隔があけて取り付けられており、図１２に示すように締結部材４０１に対応して、連結孔３２２、３２２が小側板３２の上面に設けられている。
さらに、締結部材４０１が取り付けられる同じ面の下部には、貫通孔３８ａ、３８ａが設けられている。
また、前記一側面の中間部には、小棚板３７ａを上下自在とするための棚受け具３７１を取り付けるための螺孔３９ａが上下方向に複数個設けられている。
【００２２】
小背板３５ａは、平板状のもので、床面（書棚の下面）から上部向かって立設し書棚３に拡張天板２００が収容された状態の拡張天板２００の下端部よりやや下方の位置の高さまでとされ、下方部には、小側板３２ａの貫通孔３８ａ、３８ａと同様な高さ、ピッチで貫通孔３８ａ、３８ａが設けられている。
【００２３】
小収納部３００は、平面視において、一対の小側板３２ａ、３２ａの外側間寸法が、書棚天板３０の間口方向と直行する方向の奥行き寸法より拡張天板２００の収容寸法分小さい寸法となるように、小背板３５ａ小底板３３ａ、小前板３４ａの左右方向（間口方向）の幅寸法が設定されている。
そして、小側板３２ａの奥行き寸法は、前述のとおり、書棚天板３０の奥行き寸法より拡張天板２００の収容寸法分小さい奥行き寸法に設定されているので、第１実施例における小収納部３００は、平面視において、略正方形を成すとともに、書棚天板３０からはみ出ない寸法に設定されている。
小収納部３００の小背板３５ａの対向面側の開放面は、収納部の出し入れ口となる小収納部開口部３００ａとされる。
【００２４】
大側板３２ｂは、図１１に示すように、書棚天板３０の下面から床までの高さで、奥行き寸法は前述の通り、書棚天板３０の奥行方向寸法よりやや小さい寸法に設定され、板状に形成され、大側板３２ｂの上部の後端側に切り欠き３６が設けられる。
切り欠き３６は、大側板３２ｂの上面端から、下方に向かって拡張天板２００の奥行き寸法、すなわち、拡張天板２００が書棚３に収容された状態の上下方向の寸法分よりやや大きめの高さで、大側板３２ｂの背面端から、前方に向かって拡張天板２００の厚み寸法、すなわち、拡張天板２００が書棚３に収容された状態の前後方向の寸法分とほぼ同じ奥行き寸法とされる。
【００２５】
大側板３２ｂの一側面の上部に、後述する連結金具４０の締結部材４０１、４０１が前後に間隔があけて取り付けられており、図１２に示すように締結部材４０１に対応して、連結孔３２２、３２２が小側板３２の上面に設けられている。
そして、前記切り欠き３６の前方にも連結金具４０の締結部材４０１が取り付けられ、締結部材４０１に対応して、拡張天板連結孔が切り欠き部の背面側に設けられている。
さらに、締結部材４０１が取り付けられる同じ面の下部には、貫通孔３８ｂ、３８ｂが設けられている。
また、前記一側面の中間部には、小棚板３７ｂを上下自在とするための棚受け具３７１を取り付けるための螺孔３９ｂが上下方向に複数個設けられている。
【００２６】
大背板３５ｂは、平板状のもので、床面（書棚の下面）から上部向かって立設し書棚３に拡張天板２００が収容された状態の拡張天板２００の下端部よりやや下方の位置の高さまでとされる。
【００２７】
大収納部３０１は、平面視において、一対の大側板３２ｂ、３２ｂのうち、小収納部の小側板３２ａ側の大側板３２ｂの外側面（図９における左側）が、大収納部３０１に隣接する側の小収納部の小側板３２ａの外側面に密着するように配置され、対向側の大側板３２ｂは、書棚天板３０の外側（図９における右側）端より外側にはみ出さないように、やや内寄りに配置され、奥行き方向（図９における上下方向）は、書棚天板３０の奥行方向寸法よりやや小さい寸法に設定され、大収納部３０１は、平面視で書棚天板３０からはみ出ない寸法に設定されている。そして、大収納部３０１の大背板３５ｂの対向面側の開放面は、収納部の出し入れ口となる大収納部開口部３０１ａとされる。
【００２８】
拡張天板２００は、図１４に示すように、受け部材２００ａを用いて、机１の天板１１の後端に連接するように設置し、執務スペースを拡大するものであって、机の天板１１と同じ厚みで、天板１１と略同じ横幅で、奥行きは、机の天板１１の奥行き寸法の約１／３程度に設定された横長長方形、すなわち、間口方向に長尺な板状に形成されている。
拡張天板２００の不使用時には、前述のとおり書棚３の背面側に収容するため、拡張天板２００の下面には、前述の大側板３２ｂの切り欠き３６に設けられた拡張天板連結孔（連結金具）に対応した螺孔が設けられている。
【００２９】
連結金具４０について、図１２に基づき詳述する。
連結金具４０は、連結ピン４０２と、円柱状の締結金具４０１とからなるもので、連結ピン４０２の一端部が雄ねじ部４０３とされ、他端部には小径軸部４０４、小径軸部４０４の先端には大径頭部４０５が一体的に形成されている。
締結金具４０１は、前記大径頭部４０５が係合する係合溝孔４０６と、小径軸部４０４が摺動可能に嵌合される溝幅の小さな円弧状のガイド溝４０７とが、互いに連通するようにして円周方向に向かって形成され、平面部には、ドライバーなどで締結金具４０１を回転させる回転溝４０８が形成されている。
このような連結金具は公知技術である（例えば特許第５３３６１２９号に記載されているノックダウン金具５）。
【００３０】
書棚天板３０と小側板３２ａ、大側板３２ｂを連結するには、書棚天板３０の下面に設けられた螺孔（図示せず）に、連結ピン４０２の雄ねじ部４０３を螺合させて取り付ける。
そして、該連結ピン４０２の大径頭部４０５側を側板３２の上面の連結孔３２２に差込む。このとき、連結ピン４０２の小径軸部４０４と大径頭部４０５を、連結金具４０のガイド溝４０７と係合溝孔４０６とに嵌合する。
そして、連結金具４０を、回転溝４０８を使い工具などで回動させると連結ピン４０２と連結金具４０とが互いに係合して、書棚天板３０と側板３２とが不動に連結される。
当然ながら、連結金具４０を、反対方向に回動させると連結ピン４０２は係合状態を解除され、書棚天板３０と小側板３２ａ、大側板３２ｂは分離される。
【００３１】
同様に、拡張天板２００を書棚３に収容する場合も、大側板３２ｂの切り欠き３６の前方に設けられた締結部材４０１と、拡張天板２００の螺孔を利用し、連結金具４０を用いて、大側板３２ｂと拡張天板２００が連結される。
【００３２】
本発明は上記の如く構成され、書棚３は、次のように組み立てられる。
前述のとおり組み立てられた小収納部３００と大収納部３０１を、小収納部３００の一方側（図７における右側）の小側板３２ａの外側面と大収納部３０１の一方側の（図７における左側）大側板３２ｂの外側面が接するように配置し、該小側板３２ａと大側板３２ｂの下方部で貫通孔３８ａ、３８ａ、貫通孔３８ｂ、３８ｂを使用して、ボルトナットなどを使用してネジ止めにて締結させる。
【００３３】
そして、小収納部３００と大収納部３０１の上面に書棚天板３０を載置し、前述のとおり連結金具４０にて小収納部３００（小側板３２ａ）と書棚天板３０、大収納部３０１（大側板３２ｂ）と書棚天板３０を連結し書棚３は組み立てられ、正面視（図７）において左側に小収納部３００、右側に大収納部３０１が配置し、書棚３の左側側面を小収納部３００の左側側面が形成し、書棚３の右側側面を大収納部３０１の未右側側面が形成する。
この状態で、図９に示すように、小側板３２ａと大側板３２ｂの前端面は面一とされ、大側板３２ｂの後端が、小側板３２ａの後端より突出した状態となる。
尚、大側板３２ｂの後端は、書棚天板３０の後端から飛び出さない寸法とするほうが書棚３と机１の組み合わせる場合において、机の天板１１と書棚３の書棚天板３０との連続性を持たせやすいので望ましい。
【００３４】
また、拡張天板２００を使用しない場合には、拡張天板２００が大側板３２ｂの切り欠き３６に収まるように、拡張天板２００の使用面側が上下方向を向き、かつ、書棚３の背面を向くように収容されるが、拡張天板２００は、書棚天板３０と大側板３２ｂの連結と同様に、連結金具４０を用いて、拡張天板２００を大側板３２ｂの切り欠き３６の前方に設けられた締結部材４０１と、拡張天板２００の下面の螺孔を利用し、連結金具４０を用いて着脱自在に連結される。
【００３５】
この状態で拡張天板２００は、図１１に示すように切り欠き３６に収容され、拡張天板２００の下面、すなわち収容状態の前面側と、大背板３５ｂの前面側は面一とされ、拡張天板２００の収容時でも大収納部３０１の奥行き寸法には変化がない。
これは、切り欠き３６に加え、大背板３５ｂの高さを収容状態の拡張天板２００の下端より下方までとしているから可能である。
また、拡張天板２００の大収納部３０１から左右方向に突出した部分は、図８、１０に示すように、小収納部３００の背面側に位置させることが可能である。これは、前述のとおり、小収納部３００の奥行き寸法が書棚天板３０の奥行き寸法より拡張天板２００の収容寸法分小さい寸法に設定されているためである。
【００３６】
書棚３の小収納部３００は使用用途に応じて、開口部３００ａの向きを前面向き、外側向きに変更できるが、開口部３００ａの向きを変更するには、まず、開口部３００ａが正面を向いた小収納部３００と書棚天板３０、大収納部３０１と書棚天板３０を連結している連結金具４０の係合状態を解除し、書棚天板３０を取り外す。
次に、貫通孔３８ａ、３８ａ、貫通孔３８ｂ、３８ｂの締結状態を解除し、小収納３００と大収納部３０１を分離する。
【００３７】
次に、小収納部３００の開口部３００ａが大収納部３０１側と対向する外側を向くように平面視で左に９０度回転させ、小背板３５ａの背面と大側板３２ｂの外側面が接するように配置し、該小背板３５ａと大側板３２ｂの下方部で貫通孔３８ａ、３８ａ、貫通孔３８ｂ、３８ｂを使用して、ボルトナットなどを使用してネジ止めし締結させる。
そして、再度、小収納部３００と大収納部３０１の上面に書棚天板３０を載置し、前述のとおり連結金具４０にて小収納部３００（小側板３２ａ）と書棚天板３０、大収納部３０１（大側板３２ｂ）と書棚天板３０を連結し書棚３は組み立てられ、正面視（図７）において左側に開口部３００ａが左側（外側）を向いた小収納部３００、右側に大収納部３０１が配置する。
当然ながら、書棚天板３０には、この状態の小収納部３００の小側板３２ａを連結金具４０にて連結できるように、小収納部３００の位置に対応した螺孔が設けられている。
【００３８】
この状態で、図１３に示すように、開口部３００ａが外側を向いた小収納部３００における書棚３の前面側を向く小側板３２の外側面と大側板３２ｂの前端面は面一とされ、大側板３２ｂの後端が、書棚３の背面側を向く小側板３２ａの面より背面に突出した状態となり、拡張天板２００の大収納部３０１から左右方向に突出した部分は、小収納部３００の開口部３００ａを正面側に向けた時と同様に、小収納部３００の書棚における背面側に位置している。これは、前述のとおり、小収納部３００の奥行き寸法を拡張天板２００の収容寸法分小さい奥行き寸法に設定するとともに、小収納部３００の平面視において、略正方形を成す寸法に設定にしているから可能である。
【００３９】
尚、小収納部３００と大収納部３０１の左右の配置は、左右を逆に入れ替えることができる。左右を逆にした場合においても、小側板３２ａと大側板３２ｂは一対であり、下方部にそれぞれ、貫通孔３８ａ、３８ａ、貫通孔３８ｂ、３８ｂを有しているので、小側板３２ａと大側板３２ｂボルトナットなどを使用してネジ止めし締結させることができる。また、書棚天板３０には、小収納部３００と大収納部３０１を左右に入れ替えた場合でも、小側板３２ａと大側板３２ｂを連結金具４０にて連結できるように、小収納部３００と大収納部３０１の位置に対応した複数の螺孔が設けられている。
また、小収納部３００と大収納部３０１の左右の配置を左右で入れ替えている場合は、開口部３００ａは図７における左側に位置することとなる。
【００４０】
このように小収納部３００と大収納部３０１の左右の配置を入れ替えることによって、本件組み合わせデスクを配置する部屋のレイアウトに対して様々な体系に対応させることができるので使い勝手が良い。
書棚３の左右両側に、それぞれ小収納部３００を配置し、小収納部３００間に大収納部３０１させてもよい。この場合、書棚３は左右両用となるので、左右の組み換えは必要なくなるので更に使い勝手は良くなる。
また、小収納部３００の奥行き寸法を大収納部３０１の奥行き寸法より浅く設定し、小収納部３００の背部に拡張天板２００を配置すると、大収納部３０１の奥行き寸法を書棚３（書棚天板３０）の奥行きと略同等まで設定することができ、収納部分の容量が大きく収納部分の使い勝手がより優れる。
【００４１】
特に、一般的に、組み合わせデスクの奥行き寸法は、机で５２０ミリメートル前後、書棚で２５０ミリメートル前後に設定されることが多く、奥行きが大きくなるとデスクの設置スペースの関係上使用し難く敬遠されがちである。
しかしながら、書棚の棚の奥行きは、Ａ４サイズのファイルの短手側寸法の約２３０ミリメートル程度を確保すると使い勝手が良いため、２３０ミリメートル以上の奥行きが求められる。
【００４２】
したがって、実施例１のように大収納部３０１の奥行き寸法を大きくし、拡張天板２００の収容部分を切り欠き、拡張天板２００を収容した状態で、大背板３５ｂと拡張天板２００の前面側を面一にすれば、書棚３の奥行き寸法を必要以上に大きくせずとも収納部の奥行き寸法の要求を満足させることができる。
【００４３】
一方、小収納部３００は、収納部が小さく大きな物を収納できないため奥行きを大きくしたとしても収納容量の増加効果が少ないので、必ずしも奥行きを大きくする必要はない。
そのため、小収納部３００の奥行き寸法を大収納部３０１の奥行き寸法より浅く設定することで、小収納部３００の小側板３２ａに切り欠きが必要なくコストダウンが可能である。
【実施例２】
【００４４】
第２の実施例は、図１９、２０に示すように、大収納部３０１の大側板３２ｂの切り欠き３６と同様な切り欠きを小収納部３００の小側板３２ｂにも設けたもので、大側板３２ｂと小側板３２ｂは同じ大きさとされるものである。
そして、大側板３２ｂの切り欠き３６部に拡張天板２００連結し拡張天板２００を書棚３に収容するものである。
【００４５】
この場合、小収納部３００の奥行き寸法と大収納部の奥行き寸法を同じに設定することが可能であるが、小収納部３００の開口部３００ａが外側を向いた体系の時、収容された拡張天板２００と小収納部３００との干渉を避けるため、小収納部３００の小側板３２ａ、３２ａ間の外側間寸法が、小収納部３００の奥行き寸法より、収容された拡張天板２００の厚み分小さく設定され、すなわち、小収納部３００の開口部３００ａが正面側を向いた体系の時における平面視において、小収納部３００は奥行き寸法より左右巾寸法が小さい長方形を成している。
【００４６】
実施例２の場合、小収納部３００と大収納部３０１の奥行き寸法が書棚３（書棚天板３０）の奥行きと略同等まで設定することが可能になるため収納部分の容量を大きくとることができ収納部分の使い勝手がより優れる。
【実施例３】
【００４７】
第３の実施例は、図２２、２３に示すように、大収納部３０１の大側板３２ｂの切り欠き３６を省き、大側板３２ｂの後端面に拡張天板２００連結し拡張天板２００を書棚３に収容するものである。
この場合、小収納部３００の奥行き寸法と大収納部の奥行き寸法を同じに設定することが可能である。また、この場合には、小収納部３００は平面視で正方形となるように寸法設定される。
【００４８】
そして、図２２、２３の状態で、収容された拡張天板２００が書棚３の後端に突出しているが、突出をなくす場合は、図２２、２３の状態から書棚天板３０の後端を伸ばす方法と、大収納部３０１の奥行きを小さくする方法がある。
【００４９】
第１〜第３実施例で詳述した本発明品の机１と書棚３の組み合わせ方法は、図２４、図２５に示すように多彩な配置が可能である。図２４、図２５における矢印は、小収納部３００の開口部３００ａ、大収納部と３０１の開口部３００ａの向きを示している。
図２４は、机１の後方に書棚３を配置した体系を示している。図２５は、机１の左側方に書棚３を配置した体系の一例を示している。
机１の右側方に書棚３を配置した体系は、図２５と対称形となる。
【００５０】
図１５は、書棚３の上部に上部書棚３ａを連結載置したものであって、第１〜第３実施例の組み合わせデスクの書棚の上に上部書棚３ａを重ねて配置しても、本発明の机と書棚は、前述のように組み合わせを行うことができる。尚、小収納部、大収納部の開口部は収納部の出し入れ口であるから、開口部には開閉自在の扉を設けてもよい。また、開口部側に引き出す引き出しを設けてもよい。
【００５１】
このように、収納部の開口部の向きを変更することにより一種類の書棚で様々な机との組み合わせが可能なので、組み合わせデスクを配置する部屋のレイアウトに合わせて使い勝手のよい組み合わせを提供可能である。
【産業上の利用可能性】
【００５２】
以上のように、本発明は、書棚に大収納部と小収納部を設け、小収納部の開口方向を変更できるので、机と書棚の組合せパターンを多彩にすることができ、組み合わせデスクを設置する部屋のレイアウトに合わせて、使い勝手のよい机と書棚の組み合わせが可能であるから、家庭等の勉強部屋や書斎等の執務空間で広く利用することができる。
【符号の説明】
【００５３】
１                机
１０              天板本体部
１１              天板
２                左右脚体
２００            拡張天板  
３                書棚
３０              書棚天板
３２ａ            小側板
３２ｂ            大側板
３５ａ            小背板
３５ｂ            大背板
３６              切り欠き
３００            小収納部
３０１ａ          開口部
３０１            大収納部
３０１ｂ          開口部
【図１】
2018000588.tif 000003
【図２】
2018000588.tif 000004
【図３】
2018000588.tif 000005
【図４】
2018000588.tif 000006
【図５】
2018000588.tif 000007
【図６】
2018000588.tif 000008
【図７】
2018000588.tif 000009
【図８】
2018000588.tif 000010
【図９】
2018000588.tif 000011
【図１０】
2018000588.tif 000012
【図１１】
2018000588.tif 000013
【図１２】
2018000588.tif 000014
【図１３】
2018000588.tif 000015
【図１４】
2018000588.tif 000016
【図１５】
2018000588.tif 000017
【図１６】
2018000588.tif 000018
【図１７】
2018000588.tif 000019
【図１８】
2018000588.tif 000020
【図１９】
2018000588.tif 000021
【図２０】
2018000588.tif 000022
【図２１】
2018000588.tif 000023
【図２２】
2018000588.tif 000024
【図２３】
2018000588.tif 000025
【図２４】
2018000588.tif 000026
【図２５】
2018000588.tif 000027